(57)【要約】  【課題】  永年使用したとしても、使用環境に左右されずに、塵挨や水のスイッチ部及びスイッチ駆動部側への侵入を長年にわたって確実に防止することができるし、デザイン重視のエレベータスイッチとして最適な押しボタンスイッチを提供する。  【解決手段】  シール部材４２は、合成ゴムを中空截頭円錐形状に成形した薄肉の可動シール部４２Ａと、この可動シール部４２Ａの基部に設けた肉厚の基側シール部４２Ｂと、可動シール部４２Ａの先部に設けた肉厚の先側シール部４２Ｃとを有していて、先側シール部４２Ｃはプランジャ４１のシール装着溝部４７に嵌合されてプランジャ４１のシール圧着部４７ａと押しボタン４０のシール圧着部４０ａとで挟着されており、また、基側シール部４２Ｂは、ベース部材５のシール受部８Ａとカバー部材６のシール押え部２０とで挟着されていて、シール部材４２がスイッチ本体１の内側と、押しボタン部４のスイッチ本体１内に挿入された挿入部位とに架け渡してある。【選択図】  図４
2006331813.tif 000002
【特許請求の範囲】
【請求項１】
スイッチ本体と、このスイッチ本体に収容されたスイッチ部と、前記スイッチ本体に収容され且つ前記スイッチ部を作動するスイッチ駆動部と、このスイッチ駆動部を押込み作動させる押しボタン部とを備えた押しボタンスイッチであって、
前記スイッチ本体の内側と、前記押しボタン部の前記スイッチ本体内に挿入された挿入部位とにシール部材を架け渡して、当該シール部材により前記スイッチ部及び前記スイッチ駆動部の防塵・防水を行なうようにしたことを特徴とする押しボタンスイッチ。
【請求項２】
前記シール部材は、弾性を有する素材を中空截頭円錐形状に成形した薄肉の可動シール部を有し、この可動シール部の基部を肉厚の基側シール部にし、前記可動シール部の先部を肉厚の先側シール部にした構成であり、
前記基側シール部は、前記スイッチ本体を構成するベース部材とカバー部材とで挟着され、また、前記先側シール部は、前記押しボタン部に連動して前記スイッチ部を動作させる前記スイッチ駆動部を構成するプランジャの外周部に嵌着されると共に、当該プランジャと前記押しボタンとで挟着されているように構成したことを特徴とする請求項１に記載の押しボタンスイッチ。
【請求項３】
前記基側シール部は、前記ベース部材に接する挟着面と前記カバー部材に接する挟着面を有しており、前記先側シール部は、前記プランジャに接する挟着面と前記押しボタンに接する挟着面を有していて、前記基側シール部及び前記先側シール部のそれぞれの前記挟着面の少なくとも一面に、周方向に沿う突条部が形成してあることを特徴とする請求項２に記載の押しボタンスイッチ。
【請求項４】
前記スイッチ本体は、該スイッチ本体を構成するカバー部材を押しボタンスイッチ取付用の表面パネルの裏面に当接して、当該表面パネルに取付けられており、前記カバー部材の前記当接面部と前記表面パネルとの間にシールリングを介在させるようにしたことを特徴とする請求項１乃至請求項３の何れか一に記載の押しボタンスイッチ。
【請求項５】
前記当接面部にシールリング装着用溝部を形成して、このシールリング装着用溝部に前記シールリングを装着するようにしたことを特徴とする請求項４に記載の押しボタンスイッチ。
【発明の詳細な説明】
【技術分野】
【０００１】
本発明は、例えば、エレベータの昇降方向を指示する方向指示スイッチであるエレベータスイッチ等に使用される押しボタンスイッチに関する。
【背景技術】
【０００２】
エレベータスイッチの設置場所は、エレベータに人が乗り降りする乗り場の壁面部やエレベータの籠の内壁部であり、このエレベータスイッチとして使用されている押しボタンスイッチは、表面パネルの取付孔から、その押しボタン部を表出させた状態で表面パネルに取付けられている。
【０００３】
そして、押しボタンスイッチは剥ぎ出しにされており、エレベータの清掃時等には、押しボタンスイッチの押しボタン部と表面パネルの取付孔との間、押しボタン部と押しボタンスイッチのカバー部材との間から水や塵挨が侵入することがあり、塵挨や水の侵入により、先ず、スイッチ基板表面が錆びたり、腐食したり、また、スイッチの接点機構が接触不良を起すことがあった。
【０００４】
また、エレベータが駅等の屋外に設置されているような場合、表面パネルの取付孔と押しボタン部の間に塵埃が侵入して内部に溜まり、押しボタン部が作動しなくなり、復帰不良を起すし、また、エレベータの設置場所が温泉街のような場合、押しボタンスイッチ内部に硫黄成分が侵入してスイッチ基板の銅箔が腐蝕したり、スイッチが腐蝕することがあった。
【０００５】
そこで、従来の押しボタンスイッチとして、多数の塵挨が発生する環境においても、塵挨の影響を受けることのないようにしたがものがある。この押しボタンスイッチは、図１４及び図１５に示すように、スイッチ取付板６０を有しており、このスイッチ取付板６０にはキースイッチ６１と防塵兼緩衝材６４Ａが取付けてあり、このキースイッチ６０の中央部には樹脂製のスイッチ作動軸６２が図１４において上下方向に移動可能に設けてあり、このスイッチ作動軸６２はばね部材（図示せず）により常に上方へ付勢されている。そして、スイッチ作動軸６２の上部にはキートップ６３が固定してあり、キースイッチ６３の下部には、その外周に沿って防塵兼緩衝材６４Ｂが設けてある。そして、防塵兼緩衝材６４Ａを防塵兼緩衝材６４Ｂに接触させて防塵効果を持たせている。
【０００６】
かかる構成において、キースイッチ６３を押すことにより、スイッチ作動軸６２を介してキースイッチ６３をオン作動させるのであるが、その場合、キートップ６３が防塵兼緩衝材６４Ａ及び防塵兼緩衝材６４Ｂを押圧するようになる（特許文献１参照）。
【特許文献１】特開平１０−１４９７３５号公報
【発明の開示】
【発明が解決しようとする課題】
【０００７】
しかし、上記した従来の押しボタンスイッチにあっては、防塵兼緩衝材６４Ａを防塵兼緩衝材６４Ｂに接触させて防塵効果を持たせている構成であるために、スイッチ使用者が、指爪が長い場合や、鍵等の固い物でキートップ６３を押す癖があるような場合、指爪や鍵等の固い物がキートップ６３を外れて防塵兼緩衝材６４Ａ、６４Ｂに接触して、これらの防塵兼緩衝材６４Ａ、６４Ｂを破壊してしまうということが生じており、その結果、防塵効果が薄れてしまい、塵挨や水の侵入により、キースイッチ６３の接点機構が接触不良を起すという問題点があったし、また、長期間の使用で、防塵兼緩衝材６４Ａ、６４Ｂが変色してしまい、デザイン重視のエレベータスイッチとして使用した場合では、昇降銘板の色が変わって見えてしまうという問題点があった。
【０００８】
本発明は、かかる従来の問題点を改善するためになされたもので、その目的とするところは、永年使用したとしても、使用環境に左右されずに、塵挨や水のスイッチ部及びスイッチ駆動部側への侵入を長年にわたって確実に防止することができるし、デザイン重視のエレベータスイッチとして最適な押しボタンスイッチを提供することである。
【課題を解決するための手段】
【０００９】
上記の目的を達成するために、本発明に係る押しボタンスイッチは、スイッチ本体と、このスイッチ本体に収容されたスイッチ部と、スイッチ本体に収容され且つスイッチ部を作動するスイッチ駆動部と、このスイッチ駆動部を押込み作動させる押しボタン部とを備えた押しボタンスイッチであって、スイッチ本体の内側と、押しボタン部のスイッチ本体内に挿入された挿入部位とにシール部材を架け渡して、当該シール部材によりスイッチ部及びスイッチ駆動部の防塵・防水を行なうようにしたことを特徴とする。
【００１０】
かかる構成を有することから、シール部材はスイッチ本体の内側と、押しボタン部のスイッチ本体内に挿入された挿入部位と架け渡してあるために、使用者が、指爪が長い場合や、鍵等の固い物で押しボタン部を押す癖があるような場合、指爪や鍵等の固い物が押しボタン部を外れてシール部材を破壊してしまうということがなくなり、永年使用したとしても、使用環境に左右されず、塵挨や水のスイッチ部及びスイッチ駆動部側への侵入を長年に亘って確実に防止することができる。また、従来のような第１、第２の防塵兼緩衝材が変色して昇降銘板の色が変わって見えるということがなく、デザイン重視のエレベータスイッチとして最適なものになる。
【００１１】
なお、スイッチ本体とは、例えば、ベース部材とカバー部材との組立体が該当し、スイッチ本体の内側とは、例えば、ベース部材とカバー部材との合せ目の部分が該当し、押しボタン部とは、例えば、押しボタンとこの押しボタンに連動するプランジャが該当し、押しボタン部のスイッチ本体内に挿入された挿入部位とは、例えば、プランジャが該当する。また、スイッチ部とは、例えば、スイッチ基板と、このスイッチ基板に実装されたスイッチであるタクタイルスイッチとが該当し、スイッチ駆動部とは、例えば、押しボタン部の操作によりスイッチを動作させる操作部材が該当し、この操作部材は、弾性板により一体形成してあって、その中央部位に設けたスイッチ作動部と、中央部位より分岐された複数の分岐部を有している。
【００１２】
また、本発明に係る押しボタンスイッチは、上記した本発明に係る押しボタンスイッチにおいて、前記シール部材が、弾性を有する素材を中空截頭円錐形状に成形した薄肉の可動シール部を有し、この可動シール部の基部を肉厚の基側シール部にし、前記可動シール部の先部を肉厚の先側シール部にした構成であり、前記基側シール部が、前記スイッチ本体を構成するベース部材とカバー部材とで挟着され、また、前記先側シール部は、前記押しボタン部に連動して前記スイッチ部を動作させる前記スイッチ駆動部を構成するプランジャの外周部に嵌着されると共に、当該プランジャと前記押しボタンとで挟着されているように構成したことを特徴とする。
【００１３】
かかる構成を有することから、シール部材のスイッチ本体側の挟着部である基側シール部及びシール部材の押しボタン部側の挟着部である先側シール部は、薄肉の可動シール部に比べて肉厚にしてあるために、弾性を有する素材の反発力を保持することができて、例えば、先側シール部の変形量は、元厚さが、例えば３ｍｍであると、その１０％（０．３ｍｍ）の弾性変形が可能になり、基側シール部の変形量は、元厚さが、例えば１．３ｍｍであると、その１０％（０．１３ｍｍ）の弾性変形が可能になり、基側シール部がベース部材とカバー部材とで挟着され、先側シール部がプランジャの外周部に嵌着されると共に、当該プランジャと押しボタンとで挟着されていることでシール性を向上させることができる。
【００１４】
また、本発明に係る押しボタンスイッチは、上記した本発明に係る押しボタンスイッチにおいて、前記基側シール部が、前記ベース部材に接する挟着面と前記カバー部材に接する挟着面を有しており、前記先側シール部が、前記プランジャに接する挟着面と前記押しボタンに接する挟着面を有していて、前記基側シール部及び前記先側シール部のそれぞれの前記挟着面の少なくとも一面に、周方向に沿う突条部が形成してあることを特徴とする。
【００１５】
かかる構成を有することから、基側シール部の場合には、突条部がベース部材もしくはカバー部材である相手側に、また、先側シール部の場合には、突条部がプランジャもしくは押しボタンである相手側にそれぞれに当接して面当りを防ぎ、シール性を高めることができる。
【００１６】
また、本発明に係る押しボタンスイッチは、上記した本発明に係る押しボタンスイッチにおいて、前記スイッチ本体が、該スイッチ本体を構成するカバー部材を押しボタンスイッチ取付用の表面パネルの裏面に当接して、当該表面パネルに取付けられており、前記カバー部材の前記当接面部と前記表面パネルとの間にシールリングを介在させるようにしたことを特徴とする。
【００１７】
かかる構成を有することから、シールリングの存在により、表面パネルとスイッチ本体との隙間からの塵挨や水のスイッチ部及びスイッチ駆動部側への侵入を防止することができる。このために、シール部材の存在により、塵挨や水のスイッチ部及びスイッチ駆動部側への侵入を防止することができることと相俟って、押しボタンスイッチの防塵、防水が確実になる。
【００１８】
また、本発明に係る押しボタンスイッチは、上記した本発明に係る押しボタンスイッチにおいて、前記当接面部にシールリング装着用溝部を形成して、このシールリング装着用溝部に前記シールリングを装着するようにしたことを特徴とする。
【００１９】
かかる構成を有することから、シールリングの存在により、表面パネルとスイッチ本体との隙間からの塵挨や水のスイッチ部及びスイッチ駆動部側への侵入を確実に防止することができる。
【発明の効果】
【００２０】
本発明に係る押しボタンスイッチによれば、シール部材はスイッチ本体の内側と、押しボタン部のスイッチ本体内に挿入された挿入部位と架け渡してあるために、使用者が、指爪が長い場合や、鍵等の固い物で押しボタン部を押す癖があるような場合、指爪や鍵等の固い物が押しボタン部を外れてシール部材を破壊してしまうということがなくなり、永年使用したとしても、使用環境に左右されず、塵挨や水のスイッチ部及びスイッチ駆動部側への侵入を長年に亘って確実に防止することができる。また、従来のような第１、第２の防塵兼緩衝材が変色して昇降銘板の色が変わって見えるということがなく、デザイン重視のエレベータスイッチとして最適なものになる。
【発明を実施するための最良の形態】
【００２１】
本発明の実施の形態を、図面を参照して詳述する。
【００２２】
図１は本発明に係る押しボタンスイッチの斜視図、図２は同押しボタンスイッチを表面パネルに取付ける状態の斜視図、図３は同押しボタンスイッチを表面パネルに取付けた状態の斜視図、図４は同押しボタンスイッチの縦断面図、図５は同押しボタンスイッチの分解状態の斜視図、図６は同押しボタンスイッチにおいて、ベース部材、スイッチ部、スイッチ駆動部及びプランジャの部分の分解状態を斜め上から見た斜視図、図７は同押しボタンスイッチにおいて、ベース部材、スイッチ部、スイッチ駆動部及びプランジャの部分の分解状態を斜め下から見た斜視図、図８は同押しボタンスイッチにおいて、ベース部材、スイッチ部、スイッチ駆動部及びプランジャの部分の組立て状態の斜視図、図９はシール部材の縦断面図、図１０は図４のＸ部の拡大図である。
【００２３】
押しボタンスイッチＡは、図５に示すように、スイッチ本体１と、このスイッチ本体１に収容されたスイッチ部２と、スイッチ本体１に収容され且つスイッチ部２を作動するスイッチ駆動部３と、押しボタン部４とを備えている。
【００２４】
スイッチ本体１はベース部材５とカバー部材６とから構成してある。ベース部材５は、図６に示すように、円形状の底面部５ａと、その周辺に立設された周壁部５ｂを有していて、底面部５ａには略六角形状の開口部７とが形成してある。また、底面部５ａの内面側には略正方形状のスイッチ基板装着部８と、このスイッチ基板装着部８の周りのシール受部８Ａが形成してある。
【００２５】
そして、底面部５ａの内面には、図４及び図６に示すように、スイッチ基板装着部８の四隅に位置させてばね係止用突起部９とストッパ挿入部１０が設けてあり、これらストッパ挿入部１０には平面視コ字形状のガイド部１１が設けてあって、このガイド部１１にはプランジャ用ストッパ１１Ａが設けてある。また、開口部７の互いに対向する辺縁部には基板押え１２が設けてある。
【００２６】
そして、底面部５ａの周部５ｂには、図６に示すように、その周部を四等分した箇所にそれぞれカバー係合部１３が形成してあり、これらのカバー係合部１３は周部５ｂに形成した凹部１４に係止突起部１５を設けて構成してある。
【００２７】
カバー部材６は、図４及び図５に示すように、中空円筒形状のカバー本体６Ａを有しており、このカバー本体６Ａの外端面部６ａにはシールリング装着溝部１８が形成してあり、また、カバー本体６Ａの内周には雌ねじ部１９が形成してある。そして、カバー本体６Ａの内端部はシール押え部２０にしてある。そして、カバー本体６Ａには、その周方向を四等分した箇所に係止片部２１が形成してある。これらの係止片部２１の先部には係止孔部２２が設けてある。
【００２８】
スイッチ部２は、図６及び図７に示すように、スイッチ基板２５と、このスイッチ基板２５に実装されたスイッチであるタクタイルスイッチ２６と、スイッチ基板２５に実装されたコネクタ２７とをユニット化して構成してある。すなわち、スイッチ基板２５は略正方形状であって、その四隅が切り欠いてあり、このスイッチ基板２５の表側にタクタイルスイッチ２６が実装してあり、スイッチ基板２５の裏側にコネクタ２７が実装してある。
【００２９】
タクタイルスイッチ２６は、図６に示すように、スイッチケース２６Ａの頂部に設けた開口部２６Ｂに可動部２６Ｃを突出させている。また、スイッチ基板５の表側には、複数個、例えば４個のＬＥＤ３３がタクタイルスイッチ２６の四方に位置するようにして実装してある。
【００３０】
スイッチ駆動部３は、図５乃至図７に示すように、操作部材３４と四個のばね部材であるコイルばね３５とから構成してある（図５、図６、図７では二個のばね部材３５が表示してある）。この操作部材３４は、弾性を有する、例えば、板厚が０．５ｍｍ程度の金属板を打ち抜き成形することにより形成したもので、タクタイルスイッチ２６を動作させる突起状のスイッチ作動部３６が設けられた中央部位３４Ａと、この中央部位３４Ａから四方に分岐された４本の分岐部３７を有していて、全体がほぼ十字形にしてある。そして、図４に示すように、各分岐部３７の先端部には孔部３８が形成してある。また、孔部３８の周部には円環状のばね受部３８Ａが形成してある。
【００３１】
押しボタン部４は、図５に示すように、円形キャップ状の押しボタン４０と、プランジャ４１と、シール部材４２とから構成してある。押しボタン４０は、図４に示すように、その天井部４３の周部に周壁部４４を形成しており、この周壁部４４の端部にフランジ部４５が形成してある。また、押しボタン４０の端面部がシール圧着部４０ａにしてある。
【００３２】
また、プランジャ４１は、図６及び図７に示すように、中空円筒形状のプランジャ本体４６Ａと、このプランジャ本体４６Ａの内端部に連設されたスカート部４６Ｂを有しており、このプランジャ本体４６Ａの外周部にはシール装着溝部４７が形成してあり、このシール装着溝部４７の端面がシール圧着部４７ａにしてある（図４参照）。また、スカート部４６Ｂには、図７に示すように、その周方向を四等分した箇所に挿入部４８が設けてあり、これらの挿入部４８の端面部には突起部４９が設けてある。
【００３３】
挿入部４８は、図７に示すように、スカート部４６Ｂを切欠して形成された開設部５０と、この開設部５０の外方に位置する片状のストッパ部５１とで囲まれており、ストッパ部５１はプランジャ本体４６Ａに一体に形成してある。そして、ストッパ部５１の先部には外方に突出するようにした爪部５１Ａが設けてある。
【００３４】
シール部材４２は、図４及び図９に示すように、弾性を有する素材である合成ゴム（例えば、材質：工業用ゴムＮＢＲやＥＰＤＭ）を中空截頭円錐形状に成形した薄肉の可動シール部４２Ａを有しており、この可動シール部４２Ａの基部は肉厚の基側シール部（シール部材４２のスイッチ本体１側の挟着部）４２Ｂにしてあり、可動シール部４２Ａの先部は肉厚の先側シール部（シール部材４２の押しボタン部４側の挟着部）４２Ｃにしてある。
【００３５】
そして、基側シール部４２Ｂは、ベース部材５のシール受部８Ａに接する挟着面５２ａとカバー部材６のシール押え部２０に接する挟着面５２ｂを有しており、先側シール部４２Ｃは、プランジャ４１のシール圧着部４７ａに接する挟着面５３ａと押しボタン４０のシール圧着部４０ａに接する挟着面５３ｂを有していて、それぞれの挟着面５２ｂ、５３ｂには、周方向に沿う突条部５８が形成してある。
【００３６】
そして、図４及び図６に示すように、ベース部材５の底面部５ａには、そのスイッチ基板装着部８にスイッチ基板２５を装着してスイッチ部２が取付けてあり、この場合、ベース部材５に設けた基板押え１２がスイッチ基板２５を押えて固定している。そして、図４に示すように、スイッチ基板２５が底面部５ａの開口部７を閉塞していて、この開口部７からコネクタ２７が外方に突出し、ベース部材５の中央にタクタイルスイッチ２６が位置している。
【００３７】
また、図４に示すように、底面部５ａに設けたばね係止用突起部９にコイルばね３５の一端部（下端部）が係止してあり、タクタイルスイッチ２６上に操作部材３４が載せてあって、操作部材３４の中央部位３４Ａのスイッチ作動部３６がタクタイルスイッチ２６の可動部２６Ｃに接触している。そして、操作部材３４の四本の分岐部３７のばね受部２８Ａにコイルばね３５の他端部（上端部）が嵌合している。
【００３８】
また、図４に示すように、ベース部材５には、操作部材３４に重ねるようにしてプランジャ４１が挿入してあり、この場合、プランジャ４１に設けた突起部４９が操作部材３４の分岐部３７の孔部３８に遊嵌させてある。
【００３９】
また、プランジャ４１のストッパ部５１がベース部材５のガイド部１１を介してストッパ挿入部１０に挿入してある。この場合、プランジャ４１はコイルばね３５のばね力により持ち上げられることで、このプランジャ４１に設けたストッパ部５１の爪部５１Ａが、ベース部材５に設けたプランジャ用ストッパ１１に引っ掛かるようになる。
【００４０】
また、図４に示すように、ベース部材５にはカバー部材６が装着してある。この場合、カバー部材６に設けた四本の係止片部２１が、ベース部材５のカバー係合部１３の凹部１４に挿入してあって、係止片部２１の係止孔部２２に係止突起部１５が係止してある。
【００４１】
また、図１０に示すように、スイッチ本体１の内側と、押しボタン部４のスイッチ本体１内に挿入された挿入部位とにシール部材４２が架け渡してある。すなわち、シール部材４２の先側シール部４２Ｃはプランジャ４１のシール装着溝部４７に嵌合していて、先側シール部４２Ｃは、プランジャ４１のシール圧着部４７ａと押しボタン４０のシール圧着部４０ａとで挟着されていて、挟着面５３ｂに設けた突条部５８が押し潰された状態に変形している。この場合、先側シール部４２Ｃの変形量は、元厚さが、例えば３ｍｍであると、その１０％（０．３ｍｍ）の弾性変形が可能である。また、先側シール部４２Ｃの場合、突条部５８がシール圧着部４０ａに当接して面当りを防ぎ、シール性を高めている。
【００４２】
また、基側シール部４２Ｂは、ベース部材５のシール受部８Ａとカバー部材６のシール押え部２０とで挟着されていて、挟着面５２ｂに設けた突条部５８が押し潰された状態に変形している。この場合、基側シール部４２Ｂは、元厚さが、例えば１．３ｍｍ程度であると、その１０％（０．１３ｍｍ）の弾性変形が可能である。基側シール部４２Ｂの場合、突条部５８がシール押え部２０に当接して面当りを防ぎ、シール性を高めている。
【００４３】
上記のように、シール部材４２はプランジャ４１とベース部材５とに架け渡してあり、当該シール部材４２によりスイッチ部２及びスイッチ駆動部３の防塵・防水が行なわれている。
【００４４】
また、図４に示すように、プランジャ４１に押しボタン４０が被せてある。この押しボタン４０の取付けは、押しボタンスイッチＡが表面パネルＢに取付けられる際に使用する取付リング５４で行なわれる。この取付リング５４は、図２及び図４に示すように、その外周部に雄ねじ部５５とフランジ部５６とを有し、内周部に段部よりなるストッパ部５７を有している。また、カバー部材６のシールリング装着溝部１８にはシールリング５９が装着してある。
【００４５】
そして、図２及び図４に示すように、表面パネルＢの円形状の取付孔Ｂ−１に押しボタン４０を挿入して、シールリング５９を表面パネルＢの裏面に当接し、取付孔Ｂ−１に取付リング５４を挿入して、この取付リング５４の雄ねじ部５５をカバー部材６の雌ねじ部１９に螺合させ、取付リング５４のフランジ部５６とカバー部材６の端面部とで表面パネルＢを挟持することで押しボタンスイッチＡが表面パネルＢに取付けられるのであり、この際に、押しボタン４０は、コイルばね３５のばね力によりプランジャ４１を介して持ち上げられていて、押しボタン４０のフランジ部４５が取付リング５４のストッパ部５７に衝合し、押しボタン４０の取付けが行なわれている。
【００４６】
また、シールリング５９の存在により、表面パネルＢとスイッチ本体１のカバー部材６との隙間からの塵挨や水のスイッチ部３及びスイッチ駆動部３側への侵入が防止されている。
【００４７】
次に、上記のように構成された押しボタンスイッチＡの作動を説明する。
【００４８】
押しボタン４０による押込みがない状態では、図１１に示すように、コイルばね３５のばね力によりプランジャ４１が持ち上げられていて、このプランジャ４１に設けたストッパ部５１の爪部５１Ａがプランジャ用ストッパ１１Ａに引っ掛けてある。そして、操作部材３４の四本の分岐部３７には押込み力が働いておらず、操作部材３４の中央部位３４Ａのスイッチ作動部３６がタクタイルスイッチ２６の可動部２６Ｃに接触している。
【００４９】
この状態から図１２に示すように、押しボタン４０に押込み力を加えて押込むと、この押しボタン４０は偏りすることなく、図１２において下方に移動（平行移動）する。このために、プランジャ４１がコイルばね３５に抗して下方に押し込まれて操作部材３４の分岐部３７は、下方に押される。
【００５０】
したがって、分岐部３７は撓み、分岐部３７に加わる力は操作部材３４の中央部位３４Ａに作用して、スイッチ作動部３６がタクタイルスイッチ２６の可動部２６Ｃを押し込み、このタクタイルスイッチ２６をオン作動させる。例えば、分岐部３７のストロークが１ｍｍになれば、スイッチ作動部３６のストロークが０．６ｍｍになり、タクタイルスイッチ２６を十分作動させる。
【００５１】
そして、押しボタン４０の押込みを解除すると、分岐部３７の復元力とコイルばね３５のばね力によりプランジャ４１が持ち上げられて、このプランジャ４１に設けたストッパ部５１の爪部５１Ａがプランジャ用ストッパ１１Ａに引っ掛かり、分岐部３７は元の状態に復帰し、スイッチ作動部３６の可動部２６Ｃへの押込み力が解除されてタクタイルスイッチ２６をオフ作動させる。
【００５２】
また、図１３に示すように、押しボタン４０を作用点Ｐで隅押し（片押し）した場合には、この押しボタン４０は偏って、図１３において下方に移動する。このために、プランジャ４１の作用点Ｐ側がコイルばね３５に抗して下方に押し込まれて操作部材３４の四本の分岐部３７のうちの一つ（又は二つ）が下方に押されて撓む。
【００５３】
押されない分岐部３７はプランジャ４１の挿入部４８に当接しているために、押された分岐部３７に加わる力は操作部材３４の中央部位３４Ａに作用して、スイッチ作動部３６がタクタイルスイッチ２６のスイッチ可動部２６Ｃを押し込み、このタクタイルスイッチ２６をオン作動させる。例えば、押された分岐部３７のストロークが１ｍｍになれば、スイッチ作動部３６のストロークが０．６ｍｍになり、タクタイルスイッチ２６を十分作動させるようになる。
【００５４】
そして、押しボタン４０の隅押込みを解除すると、コイルばね３５のばね力によりプランジャ４１が持ち上げられて、このプランジャ４１に設けたストッパ部５１の爪部５１Ａがプランジャ用ストッパ１１Ａに引っ掛かり、分岐部３７は元の状態に復帰し、スイッチ作動部３６の可動部２６Ｃへの押込み力が解除されてタクタイルスイッチ２６をオフ作動させる。
【００５５】
また、コイルばね３５は、十字状ばねである操作部材３４の荷重調整をしており、ばね荷重を強めている。したがって、操作部材３４の四本の分岐部３７の先部はコイルばね３５に接しているために、押しボタン４０に加わる衝撃力は分岐部３７とコイルばね３５が吸収緩衝してタクタイルスイッチ２６には衝撃力がかからないようになる。
【００５６】
また、図１２及び図１３に示すように、押しボタン４０を押込み、この押しボタン４０を下方に移動させた場合、シール部材４２は、その薄肉の可動シール部４２Ａで撓み、押しボタン４０の動きに追従する。
【００５７】
上記したように、本発明の実施の形態によれば、シール部材４２はプランジャ４１とベース部材５とに架け渡してあるために、使用者が、指爪が長い場合や、鍵等の固い物で押しボタン部を押す癖があるような場合、指爪や鍵等の固い物が押しボタン部２を外れてシール部材４２を破壊してしまうということがなくなり、このために、永年使用したとしても、塵挨や水のスイッチ部２及びスイッチ駆動部３側への侵入を長年に亘って確実に防止することができる。また、従来のような第１、第２の防塵兼緩衝材が変色して昇降銘板の色が変わって見えるということがなくデザイン重視のエレベータスイッチとして最適なものになる。
【００５８】
また、本発明の実施の形態によれば、シール部材４２の基側シール部４２Ｂ及びシール部材４２の先側シール部４２Ｃは、薄肉の可動シール部４２Ａに比べて肉厚にしてあるために、弾性を有する素材の反発力を保持することができて、先側シール部４２Ｃの変形量は、元厚さが、例えば３ｍｍであると、その１０％（０．３ｍｍ）の弾性変形が可能になり、基側シール部４２Ｂの変形量は、元厚さが、例えば１．３ｍｍであると、その１０％（０．１３ｍｍ）の弾性変形が可能になり、基側シール部４２Ｂがベース部材５のシール受部８Ａとカバー部材６のシール押え部２０とで挟着されており、先側シール部４２Ｃは、プランジャ４１のシール圧着部４７ａと押しボタン４０のシール圧着部４０ａとで挟着されていることでシール性を向上させることができる。
【００５９】
また、本発明の実施の形態によれば、先側シール部４２Ｃの場合、突条部５８がシール圧着部４０ａに当接して面当りを防ぎ、シール性を高めることができるし、また、基側シール部４２Ｂの場合、突条部５８がシール押え部２０に当接して面当りを防ぎ、シール性を高めることができる。
【００６０】
また、本発明の実施の形態によれば、シールリング５９の存在により、表面パネルＢとスイッチ本体１との隙間からの塵挨や水のスイッチ部３及びスイッチ駆動部３側への侵入を防止することができる。このために、シール部材４２の存在により、塵挨や水のスイッチ部２及びスイッチ駆動部３側への侵入を防止することができることと相俟って、押しボタンスイッチの防塵、防水が確実になる。
【００６１】
なお、上記した本発明の実施の形態では、基側シール部４２Ｂの挟着面５２ａ、５２ｂのうちの挟着面５２ａにのみ突条部５８を形成したが、挟着面５２ｂにも突条部５８を形成するようにしてもよいし、先側シール部４２Ｃにおいても挟着面５３ａ、５３ｂの双方に突条部５８を形成するようにしてもよい。
【産業上の利用可能性】
【００６２】
本発明に係る押しボタンスイッチによれば、シール部材はスイッチ本体の内側と、押しボタン部のスイッチ本体内に挿入された挿入部位と架け渡してあるために、使用者が、指爪が長い場合や、鍵等の固い物で押しボタン部を押す癖があるような場合、指爪や鍵等の固い物が押しボタン部を外れてシール部材を破壊してしまうということがなくなり、永年使用したとしても、使用環境に左右されず、塵挨や水のスイッチ部及びスイッチ駆動部側への侵入を長年に亘って確実に防止することができる。また、従来のような第１、第２の防塵兼緩衝材が変色して昇降銘板の色が変わって見えるということがなく、デザイン重視のエレベータスイッチとして最適なものになるために、エレベータの昇降方向を指示する方向指示スイッチであるエレベータスイッチ等に使用する押しボタンスイッチ等として有用である。
【図面の簡単な説明】
【００６３】
【図１】本発明に係る押しボタンスイッチの斜視図である。
【図２】同押しボタンスイッチを表面パネルに取付ける状態の斜視図である。
【図３】同押しボタンスイッチを表面パネルに取付けた状態の斜視図である。
【図４】同押しボタンスイッチの縦断面図である。
【図５】同押しボタンスイッチの分解状態の斜視図である。
【図６】同押しボタンスイッチにおいて、ベース部材、スイッチ部、スイッチ駆動部及びプランジャの部分の分解状態を斜め上から見た斜視図である。
【図７】同押しボタンスイッチにおいて、ベース部材、スイッチ部、スイッチ駆動部及びプランジャの部分の分解状態を斜め下から見た斜視図である。
【図８】同押しボタンスイッチにおいて、ベース部材、スイッチ部、スイッチ駆動部及びプランジャの部分の組立て状態の斜視図である。
【図９】シール部材の縦断面図である。
【図１０】図４のＸ部の拡大図である。
【図１１】同押しボタンスイッチにおいて、押しボタンによる押込みがない状態の縦断面図である。
【図１２】同押しボタンスイッチにおいて、押しボタンの中央を押込んだ状態の縦断面図である。
【図１３】同押しボタンスイッチにおいて、押しボタンを隅押込みした状態の縦断面図である。
【図１４】従来の押しボタンスイッチの分解状態の斜視図である。
【図１５】同押しボタンスイッチの組立て状態の斜視図である。
【符号の説明】
【００６４】
Ａ      押しボタンスイッチ
Ｂ      表面パネル
１      スイッチ本体
２      スイッチ部
３      スイッチ駆動部
４      押しボタン部
５      ベース部材
６      カバー部材
８Ａ    シール受部
１８    シールリング装着溝部
２０    シール押え部
２５    スイッチ基板
２６    タクタイルスイッチ（スイッチ）
２６Ｃ  可動部
３４    操作部材
４０    押しボタン
４０ａ  シール圧着部
４１    プランジャ
４２    シール部材
４２Ａ  可動シール部
４２Ｂ    基側シール部（シール部材のスイッチ本体側の挟着部）
４２Ｃ    先側シール部（シール部材の押しボタン部側の挟着部）
４７    シール装着溝部
４７ａ  シール圧着部
４９    突起部
５２ａ  挟着面
５２ｂ  挟着面
５３ａ  挟着面
５３ｂ  挟着面
５８    突条部
５９    シールリング
【図１】
2006331813.tif 000003
【図２】
2006331813.tif 000004
【図３】
2006331813.tif 000005
【図４】
2006331813.tif 000006
【図５】
2006331813.tif 000007
【図６】
2006331813.tif 000008
【図７】
2006331813.tif 000009
【図８】
2006331813.tif 000010
【図９】
2006331813.tif 000011
【図１０】
2006331813.tif 000012
【図１１】
2006331813.tif 000013
【図１２】
2006331813.tif 000014
【図１３】
2006331813.tif 000015
【図１４】
2006331813.tif 000016
【図１５】
2006331813.tif 000017